(57)【要約】【課題】キャップを回動して係合用凸部同士を係合させることで容器本体にキャップを着脱自在に装着するようなキャップ付き容器について、消費者がキャップを回動して着脱操作をする際に、左利きであるか右利きであるかに関係なく同じように回動操作できるようにする。【解決手段】容器本体の係合用凸部４が、左右対称的な山形状の上部突出部４ａと、その底辺中央から下方に棒状に延びる下部突出部４ｂと、下部突出部の両側に間隔をおいた一対の弛み止め突出部４ｃとからなり、容器本体とキャップの係合用凸部同士が係合された状態では、容器本体の係合用凸部４の下部突出部４ｂの左右何れかの側で、下部突出部４ｂと弛み止め突出部４ｃとの間にキャップの突起部５が嵌入されるように構成する。【選択図】図２
2012126429.tif 000002
【特許請求の範囲】
【請求項１】
装着時に容器本体とキャップとが対向する部分で、容器本体側とキャップ側のそれぞれに、円周方向で等間隔を置いて複数個の係合用凸部が形成され、キャップの回動による両方の係合用凸部同士の係合によって容器本体にキャップが着脱自在に装着されるようなキャップ付き容器において、
容器本体側の部分の外周面から外方に突出して形成される複数個の係合用凸部のそれぞれが、側方から見て左右対称的な山形状の上部突出部と、上部突出部の底辺中央から下方に棒状に延びる下部突出部と、下部突出部の両側に間隔をおいて下部突出部よりも低く突出する一対の弛み止め突出部とからなり、
それぞれの弛み止め突出部では、係合突出部の下部突出部と対向する側が容器本体の外周面と直交する垂直面になり、その反対側が容器本体の外周面から徐々に突出する傾斜面になっていると共に、
キャップ側の部分の内周面から内方に突出して形成される複数個の係合用凸部のそれぞれが、高さ方向では容器本体の下部突出部よりも小さく、幅方向では容器本体の下部突出部と弛み止め突出部との間隔よりも小さい突起部であって、
容器本体とキャップの係合用凸部同士が係合された状態では、容器本体の係合用凸部の下部突出部の左右何れかの側で、下部突出部と弛み止め突出部との間にキャップの突起部が嵌入されるように構成されていることを特徴とするキャップ付き容器。
【発明の詳細な説明】
【技術分野】
【０００１】
本発明は、キャップを回動して係合用凸部同士を係合させることで容器本体にキャップを着脱自在に装着するようなキャップ付きの容器に関し、特に、消費者がキャップを回動して着脱する際に、左利きであるか右利きであるかに関係なく同じように回動操作できるようなキャップ付き容器に関する。
【背景技術】
【０００２】
キャップ付きの容器において、装着時に容器本体とキャップとが対向する部分で、容器本体側とキャップ側のそれぞれに、円周方向で等間隔を置いて複数個の係合用凸部を形成して、キャップを回動して両方の係合用凸部同士を係合させることで容器本体にキャップを着脱自在に装着する、ということは例えば下記の各特許文献等により従来から公知となっている。
【０００３】
すなわち、下記の特許文献１には、「容器本体１」側の部分である「首部又は肩部（肩部２）」の外周面に、円周方向で等間隔を置いて複数個の「突出部３」を、側方から見て「山形の片側の裾部分を切欠いた形状」に形成し、且つ、外周面の下端に「溝５」を形成すると共に、「キャップ７」側の部分である「スカート部３」の内周面に、円周方向で等間隔を置いて複数個の「突起１０」を形成して、「溝５」に嵌合させた「突起１０」を「突出部３」と係合させることで、「容器本体１」に「キャップ７」を着脱自在に装着する、という構成が開示されている。
【０００４】
そのような構成では、「キャップ７」の装着時には、「キャップ７」を押し下げて時計方向（図３では左方向）に回動させることで、「キャップ７」側の「突起１０」を、「容器本体１」側の「溝５」に嵌合させてから「突出部３」の「切欠部分４」に係合させており、「キャップ７」の取り外し時には、「キャップ７」を反時計方向（図３では右方向）に回動させることで、「キャップ７」側の「突起１０」を、「容器本体１」側の「突出部３」の「切欠部分４」から出して「溝５」から脱出させるようにしている。
【０００５】
また、下記の特許文献２には、容器本体（「容器１」）側の部分である「頚部３」の外周面に、円周方向で等間隔を置いて複数個の「カム片６」を、側方から見て一方の斜面側（右斜面側）が「係止部７」として切り欠かれた略山形状（非対称的な山形状）に形成し、且つ、「係止部７」の入口に乗り越え可能な「堤防８」を形成すると共に、「キャップ１１」側の部分である「内筒１３」の内周面に、円周方向で等間隔を置いて複数個の「突片１４」を形成して、「堤防８」を乗り越えて「突片１４」を「カム片６」と係合させることで、容器本体（「容器１」）に「キャップ１１」を着脱自在に装着する、という構成が開示されている。
【０００６】
そのような構成では、「キャップ１１」の装着時には、「キャップ１１」を押し下げて時計方向（図４では左方向）に回動させることで、「キャップ１１」側の「突片１４」を、容器本体（「容器１」）側の「堤防８」を乗り越えて「カム片６」の「係止部７」に係合させており、「キャップ１１」の取り外し時には、「キャップ１１」を反時計方向（図４では右方向）に回動させることで、「キャップ１１」側の「突片１４」を、容器本体（「容器１」）側の「堤防８」を乗り越えて「カム片６」の「係止部７」から脱出させるようにしている。
【先行技術文献】
【特許文献】
【０００７】
【特許文献１】実公昭５４−２５２５２号公報
【特許文献２】実公平４−５４１１３号公報
【発明の概要】
【発明が解決しようとする課題】
【０００８】
ところで、キャップの回動による係合用凸部同士の係合によって容器本体にキャップが着脱自在に装着されるキャップ付き容器について、上記のような従来公知のキャップ付き容器では、同じキャップを同じように着脱する場合でも、左利きの人と右利きの人とでは、同じ方向にキャップを回動するのに逆の手で操作することとなるため、キャップを着脱する際の回動操作の状態が異なることとなり、特に、大きめのキャップを回動操作して着脱する場合には、そのような相違による操作感覚の違いを顕著に感じる傾向のあることが判った。
【０００９】
すなわち、例えば、右利きの人の場合、右手でキャップを反時計方向（左方向）に回動する際には、右腕の肘が身体の外側に向くようになることで、比較的力が入り易くて回動し易く感じるのに対して、左利きの人が同じキャップを同じ方向に回動する場合には、左腕の肘が身体の内側に向くようになる（左腕の肘が左胸にぶつかるようになる）ことで、比較的力が入り難くて回動し難く感じる傾向があることが判った。
【００１０】
一方、キャップを回動して係合用凸部同士を係合させるキャップ付き容器では、係合用凸部同士を係合させた状態で閉栓中のキャップが弛み難いように、弛み止め用の突起を設けているが、その場合、例えば、上記の特許文献２に記載されたものでは、弛み止め用の突起となる「堤防８」は、「キャップ１１」の装着時には「突片１４」が乗り越え易く、且つ、閉栓中は「突片１４」が乗り越え難い（キャップが弛み難い）ように、一方の側が垂直面で反対側が傾斜面に形成されている。
【００１１】
そのように、キャップを装着し易く、且つ、キャップが弛み難いように、キャップの回動抵抗力が閉栓方向よりも開栓方向で大きくなっていても、上記の従来技術に示されているように、抵抗力の小さい閉栓時（キャップの装着時）にはキャップを時計方向に回動し、抵抗力の大きな開栓時（キャップの取り外し時）にはキャップを反時計方向に回動するようにしておけば、右利きの人にとっては、キャップを回動抵抗が大きな開栓時に比較的力が入り易くて回動し易く感じるものとなるが、左利きの人にとってはその逆で、キャップを回動抵抗が大きな開栓時に比較的力が入り難くて回動し難く感じるものとなってしまう。
【００１２】
すなわち、上記のような従来公知のキャップ付き容器では、消費者がキャップを着脱する際のキャップの回動方向が予め所定の方向に設定されているため、キャップを着脱する際の回動操作が、右利きの人にとって好ましいものであれば左利きの人には好ましくないものとなり、その逆に、左利きの人にとって好ましいものであれば右利きの人には好ましくないものとなるということで、右利きと左利きとで回動操作のし易さが違ってしまうという問題がある。
【００１３】
本発明は、上記のような問題の解消を課題とするものであり、具体的には、キャップを回動して係合用凸部同士を係合させることで容器本体にキャップを着脱自在に装着するようなキャップ付き容器について、消費者がキャップを回動して着脱する際に、左利きであるか右利きであるかに関係なく同じように回動操作できるようにすることを課題とするものである。
【課題を解決するための手段】
【００１４】
本発明は、上記のような課題を解決するために、装着時に容器本体とキャップとが対向する部分で、容器本体側とキャップ側のそれぞれに、円周方向で等間隔を置いて複数個の係合用凸部が形成され、キャップの回動による両方の係合用凸部同士の係合によって容器本体にキャップが着脱自在に装着されるようなキャップ付き容器において、
容器本体側の部分の外周面から外方に突出して形成される複数個の係合用凸部のそれぞれが、側方から見て左右対称的な山形状の上部突出部と、上部突出部の底辺中央から下方に棒状に延びる下部突出部と、下部突出部の両側に間隔をおいて下部突出部よりも低く突出する一対の弛み止め突出部とからなり、
それぞれの弛み止め突出部では、係合突出部の下部突出部と対向する側が容器本体の外周面と直交する垂直面になり、その反対側が容器本体の外周面から徐々に突出する傾斜面になっていると共に、
キャップ側の部分の内周面から内方に突出して形成される複数個の係合用凸部のそれぞれが、高さ方向では容器本体の下部突出部よりも小さく、幅方向では容器本体の下部突出部と弛み止め突出部との間隔よりも小さい突起部であって、
容器本体とキャップの係合用凸部同士が係合された状態では、容器本体の係合用凸部の下部突出部の左右何れかの側で、下部突出部と弛み止め突出部との間にキャップの突起部が嵌入されるように構成されていることを特徴とするものである。
【発明の効果】
【００１５】
上記のような本発明のキャップ付き容器によれば、消費者がキャップを装着する閉栓時には、キャップを押し下げてから、左右何れの方向に回動させても、容器本体の係合用凸部の下部突出部の何れか片側で、弛み止め突出部との間にキャップの突起部が嵌入されて、キャップが容器本体に装着されることとなる。また、消費者がキャップを取り外す開栓時には、閉栓時とは反対方向にキャップを回動することで、容器本体の係合用凸部の下部突出部と弛み止め突出部との間からキャップの突起部が脱出されて、キャップが容器本体から取り外されることとなる。
【００１６】
そのような本発明のキャップ付き容器では、弛み止め突出部が、乗り越え易く弛み難いように、一方の側が傾斜面で反対側が垂直面になっていて、キャップの回動抵抗力が閉栓方向よりも開栓方向で大きくなっているのに対して、右利きの人は、閉栓時にキャップを時計方向に回動して、開栓時にはキャップを反時計方向に回動することで、また、左利きの人はその逆に回動操作をすることで、右利きか左利きかに関係なく同じように、キャップを回動抵抗が大きな開栓時に、比較的力が入り易くて回動し易く感じる方向にキャップを回動して取り外すことができる。
【図面の簡単な説明】
【００１７】
【図１】本発明のキャップ付き容器の一実施例を示す斜視図である。
【図２】容器本体側とキャップ側の係合用凸部同士が係合された状態を示す斜視説明図である。
【図３】（Ａ）容器本体側の係合用凸部で下部突出部と弛み止め突出部の部分を示す横断面図、および、（Ｂ）キャップ側の係合用凸部である突起部の部分を示す縦断面図である。
【発明を実施するための形態】
【００１８】
キャップを回動して係合用凸部同士を係合させることで容器本体にキャップを着脱自在に装着するようなキャップ付き容器について、消費者がキャップを回動して着脱操作をする際に、左利きであるか右利きであるかに関係なく同じように回動操作できるようにするという目的を、以下の実施例に具体的に示すように、容器本体側の部分の外周面から外方に突出して形成される複数個の係合用凸部のそれぞれを、側方から見て左右対称的な山形状の上部突出部と、上部突出部の底辺中央から下方に棒状に延びる下部突出部と、下部突出部の両側に間隔をおいて下部突出部よりも低く突出する一対の弛み止め突出部とからなるものとし、それぞれの弛み止め突出部では、係合突出部の下部突出部と対向する側が容器本体の外周面と直交する垂直面になり、その反対側が容器本体の外周面から徐々に突出する傾斜面になるようにすると共に、キャップ側の部分の内周面から内方に突出して形成される複数個の係合用凸部のそれぞれを、高さ方向では容器本体の下部突出部よりも小さく、幅方向では容器本体の下部突出部と弛み止め突出部との間隔よりも小さい突起部として、容器本体とキャップの係合用凸部同士が係合された状態では、容器本体の係合用凸部の下部突出部の左右何れかの側で、下部突出部と弛み止め突出部との間にキャップの突起部が嵌入されるように構成する、ということで実現した。
【実施例】
【００１９】
本実施例のキャップ付き容器は、比較的大きめのキャップが装着されるものであって、図１に示すように、キャップ付き容器１は、合成樹脂でそれぞれ一体成形された容器本体２とキャップ３とからなり、容器本体２は、底部２１と胴部２２と口部２３とが一体的に形成されたもので、胴部２２は、開口部を大きくして内容物を取り出し易くし、且つ、手が小さくても握り易くするために、開口部側から底部側に向かって径が小さくなるテーパー壁面に形成されている。
【００２０】
また、口部２３は、上端の開口部から下方に１０〜２０ｍｍの長さ（高さ）で延びる円筒状で、且つ、内容物を手で取り出すことを考慮して、胴部２２の上端の外径と略同じような外径が６０ｍｍ以上の比較的大きな外径の円筒状に形成されている。なお、本実施例では、容器本体２にキャップ３を装着した際に、キャップ３のスカート部３３の下端を支えるために、口部２３の下端に、口部２３の外周面から外方に突出した環状の鍔部２４が形成されている。
【００２１】
そのような容器本体２の口部２３に装着される外径が６０ｍｍ以上のキャップ３は、ドーム部３１と環状外周部３２からなる頂部の外縁（環状外周部３２の外縁）から下方に延びるように円筒状のスカート部３３が一体的に形成されたもので、図示していないが、キャップ３の頂部（ドーム部３１と環状外周部３２）の内面側には、ドーム部３１の下端と環状外周部３２の内端の連結部から下方に垂下するように、円筒状のインナープラグ部が一体的に形成されていて、スカート部３３の内側に間隔をおいて同心的に配置されたインナープラグ部の外周面は、容器本体２にキャップ３が装着された状態で、容器本体２の口部２３の内周面と密接するようになっている。
【００２２】
上記のような本実施例のキャップ付き容器１において、図１に示すように、容器本体２の口部２３の外周面には、口部２３の外周面から外方に突出する係合用凸部４が、円周方向で等間隔を置いて複数個（本実施例では４個）形成されており、一方、キャップ３のスカート部３３の下端付近の内周面には、スカート３３の内周面から内方に突出する係合用凸部５が、円周方向で等間隔を置いて複数個（本実施例では８個）形成されている。
【００２３】
容器本体２の口部２３の外周面から外方に突出して形成された複数個の係合用凸部４のそれぞれは、図２に示すように、側方から見て左右対称的な山形状（本実施例では二等辺三角形状）の上部突出部４ａと、上部突出部４ａの底辺中央から下方に棒状に延びる下部突出部４ｂと、下部突出部４ｂの両側に間隔を置いて形成される一対の弛み止め突出部４ｃとからなり、上部突出部４ａと下部突出部４ｂとは連続した状態で側方から見て上向き矢印形状となっている。
【００２４】
容器本体２の係合用凸部４で下部突出部４ｂの両側に間隔を置いて形成される一対の弛み止め突出部４ｃについては、図３（Ａ）に示すように、下部突出部４ｂよりも低く突出するものであって、一対の弛み止め突出部４ｃのそれぞれでは、下部突出部４ｂと対向する側が容器本体２の口部２３の外周面と直交する垂直面になり、その反対側が容器本体２の口部２３の外周面から徐々に突出する傾斜面になっている。
【００２５】
キャップ３のスカート部３３の内周面から内方に突出する係合用凸部５のそれぞれは、高さ方向（上下方向）では容器本体２の下部突出部４ｂよりも小さく、幅方向（左右方向）では容器本体２の下部突出部４ｂと弛み止め突出部４ｃとの間隔よりも小さい突起部５であって、容器本体２とキャップ３の係合用凸部４、５同士が係合された状態では、図２に示すように、容器本体２の係合用凸部４の下部突出部４ｂの片側（図示したものでは右側）で、下部突出部４ｂと弛み止め突出部４ｃとの間にキャップ３の突起部５が嵌入されている。
【００２６】
なお、キャップ３の係合用凸部である突起部５について、本実施例では、図３（Ｂ）に示すように、突起部５の上面側と下面側とが何れも傾斜面となっている。突起部５の上面側が傾斜していることで、合成樹脂製のキャップ３を射出成形する際に、キャップ内面側の金型を抜き取り易くすることができる。また、突起部５の下面側が傾斜していることで、係合用凸部４の上部突出部４ａの山形状の傾斜面に案内させて突起部５を移動させる際に、突起部５と上部突出部４ａとの接触面積が小さくなるため、摩擦抵抗を軽減することができて、キャップ３をスムーズに回動することができる。
【００２７】
上記のような本実施例のキャップ付き容器１によれば、消費者がキャップ３を装着する閉栓時には、キャップ３を押し下げながら左右何れの方向にキャップ３を回動させても、容器本体２の係合用凸部４の下部突出部４ｂの左右の何れか片側で、弛み止め突出部４ｃとの間にキャップ３の突起部５を嵌入させて、キャップ３を容器本体２に装着することができる。また、消費者がキャップ３を取り外す開栓時には、閉栓時とは反対方向にキャップ３を回動することで、容器本体２の係合用凸部４の下部突出部４ｂと弛み止め突出部４ｃとの間からキャップ３の突起部５を脱出させて、キャップ３を容器本体２から取り外すことができる。
【００２８】
キャップ３を押し下げながら左右何れの方向にキャップ３を回動させる際に、容器本体２の係合用凸部４の上方にキャップ３の突起部５が位置していると、突起部５が係合用凸部４の上部突出部４ａの山形状の傾斜面に案内された状態で下方に移動し、一方、容器本体２の係合用凸部４の上方にキャップ３の突起部５が位置していないと、突起部５はそのまま下方に移動しながらて周方向に移動するため、何れにしても、突起部５は確実に容器本体２側の係合用凸部４に係合されて、容器本体２にキャップ３が着脱自在に装着されるようになっている。なお、本実施例では、キャップ３側で円周方向で等間隔を置いて複数個（本実施例では８個）形成された突起部５のうちの一つおきのもの（４個）が、容器本体２側の係合用凸部４（本実施例では４個）にそれぞれ係合することとなる。
【００２９】
そのような本実施例のキャップ付き容器１では、弛み止め突出部４ｃが、乗り越え易く弛み難いように、一方の側が傾斜面で反対側が垂直面になっていて、キャップ３の回動抵抗力が閉栓方向よりも開栓方向で大きくなっているのに対して、右利きの人は、閉栓時にキャップ３を時計方向に回動して、開栓時にはキャップ３を反時計方向に回動することで、また、左利きの人はその逆に回動操作をすることで、右利きか左利きかに関係なく同じように、キャップ３を回動抵抗が大きな開栓時に、比較的力が入り易くて回動し易く感じる方向にキャップ３を回動して取り外すことができる。
【００３０】
以上、本発明のキャップ付き容器の一実施例について説明したが、本発明は、上記のような実施例にのみ限定されるものではなく、例えば、容器については、実施例に示したような胴部の上方が円筒状の口部となっている広口容器に限らず、口部と胴部の間に肩部が形成されたような容器にも適用可能なものであり、キャップについても、実施例に示したような装着時にスカート部が容器本体と対向するようなキャップに限らず、キャップの頂部から下方に外筒部と内筒部が形成されて装着時に内筒部が容器本体と対向するようなキャップにも適用可能なものである。
【００３１】
また、係合用凸部を設ける部分については、容器本体側では、実施例に示したような口部に限らず、肩部を備えた容器では肩部の基部に設けても良く、キャップ側では、実施例に示したようなスカート部の下端付近に限らず、外筒部と内筒部が形成されたキャップでは内筒部の下端付近に設けても良いものである。また、容器本体側とキャップ側のそれぞれの係合用凸部の数については、実施例に具体的に示したような数に限られるものではなく、適宜の数とすることが可能なものであり、さらに、容器本体側の係合用凸部の上部突出部の左右対称的な山形状については、実施例に示したような三角形状に限らず、上辺が円弧状で丸みのある山形状であっても良い等、適宜に設計変更可能なものであることはいうまでもない。
【符号の説明】
【００３２】
１        キャップ付き容器
２        容器本体
３        キャップ
４        （容器本体側の）係合用凸部
４ａ      （係合用凸部の）上部突出部
４ｂ      （係合用凸部の）下部突出部
４ｃ      （係合用凸部の）弛み止め突出部
５        突起部（キャップ側の係合用凸部）
２３      （容器本体の）口部
３３      （キャップの）スカート部
【図１】
2012126429.tif 000003
【図２】
2012126429.tif 000004
【図３】
2012126429.tif 000005